(57)【要約】【課題】放水銃を用いずにクラゲ等の異物を効果的に分散等させる。【解決手段】取水口１０３と、取水口の下流に配置されて取り込んだ用水から異物を除去する除塵機１１０と、を備えたプラント１００に設置され、取水口と除塵機との間の流路１０４内の用水中に浮遊する異物を誘導する異物誘導装置１であって、流路内に設置されて揺動可能な羽根部材１０と、羽根部材を駆動制御する制御手段と、を備え、制御手段は、除塵機の上流側の水位と下流側の水位との水位差が閾値以上となる場合に、羽根部材が揺動するように制御する。羽根部材が揺動することで、短時間で大量のクラゲが除塵機に進入しないようにクラゲを分散させることができる。【選択図】図２
2016141969.tif 000002
【特許請求の範囲】
【請求項１】
取水口と、該取水口の下流に配置されて取り込んだ用水から異物を除去する除塵機と、を備えたプラントに設置され、前記取水口と前記除塵機との間の流路内の用水中に浮遊する異物を誘導する異物誘導装置であって、
前記流路内に設置されて揺動可能な羽根部材と、前記羽根部材を駆動制御する制御手段と、を備え、
前記制御手段は、前記除塵機の上流側の水位と下流側の水位との水位差が閾値以上となる場合に、前記羽根部材が揺動するように制御することを特徴とする異物誘導装置。
【請求項２】
前記プラントは複数の除塵機を備えており、
前記制御手段は、一部の除塵機の前記水位差が前記閾値以上となる場合に、前記羽根部材が異物を他の除塵機へ誘導するように該羽根部材を所定の角度にて停止させるように制御することを特徴とする請求項１に記載の異物誘導装置。
【請求項３】
前記プラントは複数の除塵機を備えており、
前記羽根部材は、上流に設置された第一羽根部材と、該第一羽根部材の下流に設置された第二羽根部材と、を有し、
前記制御手段は、一部の除塵機の前記水位差が前記閾値以上となる場合に、前記第一羽根部材が揺動するように制御し、前記第二羽根部材が異物を他の除塵機へ誘導するように前記第二羽根部材を所定の角度にて停止させるように制御することを特徴とする請求項１に記載の異物誘導装置。
【請求項４】
前記制御手段は、前記第一羽根部材の揺動開始から所定時間が経過したときに該第一羽根部材の揺動を停止させると共に、該第一羽根部材が異物を前記他の除塵機へ誘導するように該第一羽根部材を所定の角度にて停止させるように制御することを特徴とする請求項３に記載の異物誘導装置。
【発明の詳細な説明】
【技術分野】
【０００１】
本発明は、海洋に面した発電所等のプラントにおける、クラゲ等の海水中に浮遊する異物の影響を低減する装置に関し、特に浮遊する異物を分散させ又は所定方向に誘導することによりプラントを安定して運転可能な異物誘導装置に関する。
【背景技術】
【０００２】
沿岸に建設された火力発電所等の発電所においては、復水器に供給される冷却水として海水が用いられる。海水は、取水口から発電所内に取り込まれて循環ポンプによって復水器に供給される。発電所にクラゲが襲来した際には、取水口の下流側に配置された除塵機のスクリーンにクラゲが付着するため、復水器へ供給される冷却水の流量低下が生じる。
従来、発電所へのクラゲの来襲が確認できた場合には、運転員が取水口と除塵機とを結ぶ流路に急行し、現場に備え付けられた放水銃から高圧水を海水中に噴射して浮遊するクラゲの群れを分散させ、短時間で大量のクラゲが除塵機に入り込まないようにする措置を取っていた。しかし、運転員がクラゲの来襲を確認してから流路に急行するまでの間にタイムラグがあるため、対応が遅れると、除塵機によるクラゲの除去が追いつかず、最悪の場合には発電量の低下を余儀なくされる。
そこで、特許文献１には、放水銃によるクラゲの分散を自動的に行う装置が記載されている。この発明によれば、運転員が現場に急行する必要がないため対応を迅速化できる。
【先行技術文献】
【特許文献】
【０００３】
【特許文献１】特開２００８−２３２５７８公報
【発明の概要】
【発明が解決しようとする課題】
【０００４】
クラゲを分散させるという点では特許文献１の発明も効果的ではあるが、放水銃に頼らずにクラゲ等の異物を効果的に分散等させる新たな装置の開発が求められる。
本発明は上述の事情に鑑みてなされたものであり、放水銃を用いずにクラゲ等の異物を効果的に分散等させる新たな装置を提供することを目的とする。
【課題を解決するための手段】
【０００５】
上記の課題を解決するために、請求項１に記載の発明は、取水口と、該取水口の下流に配置されて取り込んだ用水から異物を除去する除塵機と、を備えたプラントに設置され、前記取水口と前記除塵機との間の流路内の用水中に浮遊する異物を誘導する異物誘導装置であって、前記流路内に設置されて揺動可能な羽根部材と、前記羽根部材を駆動制御する制御手段と、を備え、前記制御手段は、前記除塵機の上流側の水位と下流側の水位との水位差が閾値以上となる場合に、前記羽根部材が揺動するように制御することを特徴とする。
請求項２に記載の発明は、前記プラントは複数の除塵機を備えており、前記制御手段は、一部の除塵機の前記水位差が前記閾値以上となる場合に、前記羽根部材が異物を他の除塵機へ誘導するように該羽根部材を所定の角度にて停止させるように制御することを特徴とする。
【０００６】
請求項３に記載の発明は、前記プラントは複数の除塵機を備えており、前記羽根部材は、上流に設置された第一羽根部材と、該第一羽根部材の下流に設置された第二羽根部材と、を有し、前記制御手段は、一部の除塵機の前記水位差が前記閾値以上となる場合に、前記第一羽根部材が揺動するように制御し、前記第二羽根部材が異物を他の除塵機へ誘導するように前記第二羽根部材を所定の角度にて停止させるように制御することを特徴とする。
請求項４に記載の発明は、前記制御手段は、前記第一羽根部材の揺動開始から所定時間が経過したときに該第一羽根部材の揺動を停止させると共に、該第一羽根部材が異物を前記他の除塵機へ誘導するように該第一羽根部材を所定の角度にて停止させるように制御することを特徴とする。
【発明の効果】
【０００７】
異物が大量に除塵機に取り込まれた場合、除塵機の上流側の水位と下流側の水位との水位差が大きくなる。そこで本発明では水位差が閾値以上となった場合に、羽根部材を揺動させて異物を流路内で分散させる。この動作を実行することにより、流路内に浮遊する異物が短時間で大量に除塵機に取り込まれることを防止することができ、プラントの出力を低下させる等の事態を回避できる。
【図面の簡単な説明】
【０００８】
【図１】発電プラントにおける海水系統を示した模式図である。
【図２】取水路の模式的平面図である。
【図３】羽根部材を示した斜視図である。
【図４】（ａ）〜（ｃ）は、揺動支持機構の動作と羽根部材の姿勢を示す図である。
【図５】異物誘導装置の制御系統を示した機能ブロック図である。
【図６】異物誘導装置の動作を示したフローチャートである。
【発明を実施するための形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
以下の実施形態に示す異物誘導装置は主としてクラゲを処理の対象とし、クラゲを取水口と除塵機の間の流路内において分散させ又は所定方向に誘導する場合の例により説明するが、本発明は水中に浮遊するクラゲ以外の異物に対しても効果的に用いることができる。
【００１０】
〔海水系統〕
本発明の一実施形態に係る異物誘導装置が設置されるプラントの海水系統について説明する。図１は、発電プラントにおける海水系統を示した模式図である。海洋に面した火力、原子力等の発電プラントにおいては、復水冷却器、油冷却器、及び淡水冷却器の冷却用水、並びに復水器冷却水として海水を利用している。
図示するプラント１００の海水系統の取水側には上流から、海洋中に設置されたカーテンウォール１０１と、取水口１０３の下流側の流路（取水路１０４）内に設置されたバースクリーン１０５と、バースクリーン１０５の下流に配置された除塵機１１０と、を備える。
カーテンウォール１０１は、取水口１０３の上流側、且つ取水口１０３から所定距離離間した位置に設置されている。カーテンウォール１０１は、海水面付近に浮遊する異物のプラント１００への侵入を防止すると共に、温度の低い深層の海水を取水口１０３から取水路１０４内に導入するために設置される。
バースクリーン１０５は、取水口１０３よりも沿岸側に設置された格子状の固定式スクリーンであり、海水中の比較的大きな異物を捕捉する。
除塵機１１０は、バースクリーン１０５を通過した海水から異物を除去する装置である。除塵機１１０は、連続的に回転する金属製のロータリースクリーン１１１を備え、水中の異物を水面上に運搬する。ロータリースクリーン１１１に付着して水面上に運ばれた異物は、除塵ポンプ１１３から噴射される圧力水により、ロータリースクリーン１１１から除去される。
除塵機１１０によって異物が除去された海水は、復水器１２１及び各冷却器１２２、１２３、１２４において冷却水として使用された後、排水口１３０から海洋に排出される。
【００１１】
海水中の異物としてのクラゲがカーテンウォール１０１及び取水口１０３を通過して取水路１０４内に進入した場合、クラゲはバースクリーン１０５に捕捉されないため、下流の除塵機１１０によって処理されることとなる。クラゲが短時間で大量に来襲した場合には一時的に除塵機１１０の処理能力を超過し、一部のクラゲが復水器１２１側へ進入する場合がある。除塵機１１０にて除去しきれずにプラント内へと進入したクラゲは、復水器１２１の入口に設置された海水ストレーナ１２５を詰まらせたり、破損させる等の問題を起こす。そのため、除塵機１１０の処理能力を超える量のクラゲが短時間で大量に除塵機１１０へ移動することを防止する必要がある。
【００１２】
〔クラゲの来襲検知方法〕
図２は、取水路の模式的平面図である。
プラント１００は複数の発電ユニットを備えており、発電ユニットごとに除塵機１１０（一号除塵機１１０ａ、二号除塵機１１０ｂ、三号除塵機１１０ｃ）が設置されている。また、プラント１００は、各除塵機１１０の上流側（取水口１０３側）の海水の水位と、下流側（復水器１２１側）の海水の水位との水位差を監視する水位差監視装置（不図示）を備えている。水位差監視装置は、検知した各除塵機１１０の前後の水位差（水位差データ）を出力する。
ここで、プラント１００にクラゲが襲来した場合、各除塵機１１０の上流側の一部がクラゲによって塞がれるため、平常時よりも下流側の水位が低下し、上流側と下流側の水位差が上昇する。従って水位差監視装置は、水位差の大きさに基づいてクラゲの来襲を検知するクラゲ来襲検知手段として機能する。
【００１３】
〔異物誘導装置〕
本発明の一実施形態に係る異物誘導装置について、図２を参照して説明する。異物誘導装置１は、取水口１０３の下流に配置されて、取り込んだ海水（用水）から異物を除去する除塵機１１０を備えたプラント１００に設置される装置である。異物誘導装置１は、取水口１０３と除塵機１１０との間の流路（取水路１０４）内の用水中に浮遊するクラゲ等の異物を分散させ又は所定方向に誘導する。
【００１４】
＜羽根部材＞
異物誘導装置１は、取水路１０４内の海水中に設置されて、揺動可能な羽根部材１０（第一羽根部材１０ａ、第二羽根部材１０ｂ）を備えている。
羽根部材１０は取水路１０４内に複数個、図２では合計６個が設置されている。異物誘導装置１は、上流側に設置された３つの第一羽根部材１０ａと、第一羽根部材１０ａの下流側に設置された３つの第二羽根部材１０ｂと、を有する。各第一羽根部材１０ａ及び各第二羽根部材１０ｂは、除塵機１１０の並ぶ方向（図２中左右方向）に沿って並べられている。また、第一羽根部材１０ａと第二羽根部材１０ｂは海水の流れる方向に沿って千鳥状に（交互に）配置されている。第一羽根部材１０ａと第二羽根部材１０ｂは、制御方法が異なる以外は、基本的には同一の構成である。
【００１５】
図３は、羽根部材を示した斜視図である。
羽根部材１０は、上面視概略Ｙ字形状（又は「人」の字形状）であり、下流側が２股に分岐している。羽根部材１０は、上流側に平板状の上流羽根部１１を、下流側に上流羽根部１１から二股に分岐した２つの分岐羽根部１３を備えている。２つの分岐羽根部１３は、上流羽根部１１から滑らかに連続する側面を有した湾曲形状である。
羽根部材１０の大きさは、例えば高さ１ｍ程度、海水流の方向に沿った長さ２ｍ程度に設定される。羽根部材１０の高さは、少なくとも干潮時の水位以下となるように設定し、羽根部材１０の底部が取水路１０４の底面に接しないようにする。
羽根部材１０は、容易には破損せず、比重が水よりも重い材料から構成する。比重を水よりも重くすることにより、万が一、羽根部材１０が破損した場合であっても破片が取水路１０４内に沈み、除塵機１１０側へ流れることを防止する。また羽根部材１０は、少なくとも分岐羽根部１３が弾性変形可能な材料から構成されていることが望ましい。羽根部材１０は、上記要件を具備する材料として例えばＦＲＰ（繊維強化プラスチック）から構成することができる。
上流羽根部１１と各分岐羽根部１３の上部には、夫々挿通孔１５、１６が貫通形成されている。挿通孔１５、１６には、後述する揺動支持機構２０を構成するワイヤ（上流ワイヤＷＵ、下流ワイヤＷＬ）が夫々挿通される（図２、図４参照）。
【００１６】
＜揺動支持機構＞
第一羽根部材１０ａ及び第二羽根部材１０ｂを夫々揺動可能に支持する揺動支持機構について図２及び図４に基づいて説明する。図４は（ａ）〜（ｃ）は、揺動支持機構の動作と羽根部材の姿勢を示す図である。
図２に示すように揺動支持機構２０は、第一羽根部材１０ａを支持する第一揺動支持機構２０ａと、第二羽根部材１０ｂを支持する第二揺動支持機構２０ｂとを有する。第一揺動支持機構２０ａと第二揺動支持機構２０ｂは同一の構成を有するため、以下では特に区別せずに説明する。
揺動支持機構２０は、羽根部材１０の上流側、具体的には上流羽根部１１の上流側端部を支持する上流側支持装置２１と、羽根部材１０の下流側、具体的には各分岐羽根部１３の下流側端部を支持する下流側支持機構３１とを有する。
【００１７】
上流側支持装置２１は、除塵機１１０の並べられた方向に沿って伸びる上流ワイヤＷＵと、上流ワイヤＷＵの適所に取り付けられたブイ２３と、上流ワイヤＷＵの長手方向の各端部を支持する２つの支柱２５とを備え、上流羽根部１１を上流ワイヤＷＵの長手方向に対しては固定的に支持する。
ブイ２３は、羽根部材１０を海面近くの水中に浮遊させるための浮きである。
支柱２５は取水路１０４内の海水中に設置されている。上流ワイヤＷＵは２つの支柱２５間に張り渡されている。
上流ワイヤＷＵの適所には、羽根部材１０の上流羽根部１１が上流ワイヤＷＵの長手方向に対する相対移動を禁止された状態にて取り付けられている。即ち、上流ワイヤＷＵは図４に示すように、上流羽根部１１の挿通孔１５に挿通されている。また、上流ワイヤＷＵには、上流羽根部１１の各面に隣接する位置に夫々ストッパ２７が固定されている。上流ワイヤＷＵに固定された２つのストッパ２７間に上流羽根部１１を配置することにより、上流ワイヤＷＵの長手方向に対する上流羽根部１１の相対移動を禁止している。
【００１８】
下流側支持機構３１は、羽根部材１０の分岐羽根部１３を除塵機１１０の並べられた方向に沿って往復移動させることにより羽根部材１０を揺動させる駆動支持機構である。
下流側支持機構３１は、除塵機１１０の並べられた方向に沿って伸びる下流ワイヤＷＬと、下流ワイヤＷＬの適所に取り付けられたブイ３３と、下流ワイヤＷＬの長手方向一端部を支持すると共に、下流ワイヤＷＬを巻き取り、又は巻き出すための駆動力を与える駆動モータ３５と、下流ワイヤＷＬの長手方向他端を巻き取り又は巻き出し自在に支持する従動支持部３６と、を備えている。
ブイ３３は、羽根部材１０を海面近くの水中に浮遊させるための浮きである。
下流ワイヤＷＬの適所には、羽根部材１０の分岐羽根部１３が下流ワイヤＷＬの長手方向に対する相対移動を禁止された状態にて取り付けられている。即ち、下流ワイヤＷＬは図４に示すように、各分岐羽根部１３の挿通孔１６に順次挿通されている。また、下流ワイヤＷＬには、分岐羽根部１３に隣接する位置に２つのストッパ３７が固定されている。下流ワイヤＷＬに固定された２つのストッパ３７間に２つの分岐羽根部１３を配置することにより、下流ワイヤＷＬの長手方向に対する分岐羽根部１３の相対移動を禁止している。
【００１９】
従動支持部３６は、下流ワイヤＷＬを巻き取る方向に弾性付勢する弾性付勢部材（不図示）を備えている。駆動モータ３５が弾性付勢部材の弾性付勢力に抗して下流ワイヤＷＬを巻き取ったときに、従動支持部３６から下流ワイヤＷＬが引き出される。また、駆動モータ３５が下流ワイヤＷＬを巻き出したときに、従動支持部３６は内蔵されている弾性付勢部材の弾性付勢力によって下流ワイヤＷＬを巻き取る。
このように駆動モータ３５が下流ワイヤＷＬを巻き取り又は巻き出すことで、下流ワイヤＷＬは長手方向に進退し、羽根部材１０が揺動したり所定の角度姿勢を取ったりする。
なお、従動支持部３６に駆動モータを内蔵してもよい。この場合、駆動モータ３５と従動支持部３６の駆動モータとを制御部により適宜駆動制御することにより各駆動モータから巻き出される下流ワイヤＷＬの長さが調整される。また、駆動モータ３５と従動支持部３６の駆動モータとを連動させることにより、羽根部材１０を揺動させ又は所定姿勢に制御することができる。
【００２０】
ここで、羽根部材１０は、ブイ２３、３３の浮力によって潮位に関わらず常に海水面付近で浮いた状態を維持する。上流ワイヤＷＵは、支柱２５に対して上下方向（図中紙面に垂直な方向）に移動自在に構成されており、上流羽根部１１はブイ２３の浮力により潮の干満に応じて上下動する。また、分岐羽根部１３側では弾性付勢部材の弾性付勢力によって下流ワイヤＷＬの巻き出し量（たるみ量）が調整される。下流ワイヤＷＬは、分岐羽根部１３側がブイ３３の浮力により海水面付近で浮いた状態を維持し、且つ羽根部材１０が所定の姿勢を維持する程度に巻き出される。
【００２１】
羽根部材の動作について図４に基づいて説明する。
図４（ｂ）に示す基準姿勢では上流羽根部１１が取水流の方向に沿っており、上流羽根部１１の表面に沿って上流から流れてきたクラゲは、分岐羽根部１３において移動方向が取水流と交差する方向に変更される。クラゲは、湾曲した分岐羽根部１３において下流側に向かう移動速度が低下し、下流側への移動がある程度阻害される。
図４（ｂ）に示す基準姿勢から下流ワイヤＷＬを図中左方に移動させると、羽根部材１０の下流側が図中左側に移動して図４（ａ）に示す姿勢となる。この姿勢では、図２中、クラゲを一号除塵機１１０ａ、又は二号除塵機１１０ｂへと誘導する。このとき、２つの分岐羽根部１３は弾性変形して下流ワイヤＷＬの動作に追従する。左側の分岐羽根部１３は曲率半径が大きくなるので、クラゲをスムーズに下流左方へと導く。右側の分岐羽根部１３は曲率半径が小さくなるので、分岐羽根部１３においてクラゲが停滞し、クラゲの下流側への移動をある程度阻害する。
同様に図４（ｂ）に示す基準姿勢から、下流ワイヤＷＬを図中右方に移動させると、羽根部材１０の下流側が図中右側に移動して図４（ｃ）に示す姿勢となる。この姿勢では、図４中、クラゲを二号除塵機１１０ｂ、又は三号除塵機１１０ｃへと誘導する。また、図４（ａ）と同様に分岐羽根部１３が弾性変形する。曲率半径が大きくなる右側の分岐羽根部１３はクラゲをスムーズに下流右方へと導く。曲率半径が小さくなる左側の分岐羽根部１３はクラゲを停滞させ、下流へのクラゲの移動をある程度阻害する。
【００２２】
〔機能ブロック〕
図５は、異物誘導装置の制御系統を示した機能ブロック図である。
異物誘導装置１は、制御部４０と、警報装置４７と、第一駆動制御部４９ａと、第二駆動制御部４９ｂと、を備える。
制御部４０は、水位差監視装置（不図示）から取得した各除塵機の水位差データに基づいて必要な演算を行う演算部４１と、羽根部材１０を動作させるための条件等を記憶した条件テーブル４３と、時間を経時するタイマ４５と、を備えている。
演算部４１は、ＣＰＵ、ＲＯＭ、ＲＡＭ等を備えた一般的なコンピュータ装置であり、ＣＰＵがＲＯＭに記憶されたプログラムを読み出して、ＲＡＭ内に展開して実行する。条件テーブル４３は、例えばＲＯＭ又はＨＤＤ装置等に記憶されている。
警報装置４７は、水位差データが閾値以上の場合に、演算部４１の命令に従って警報を出力する。
第一駆動制御部４９ａは演算部４１の演算結果に従って、第一揺動支持機構２０ａの下流側支持機構３１に設けられた駆動モータ３５（第一駆動モータ３５ａ）を駆動する。第二駆動制御部４９ｂは演算部４１の演算結果に従って、第二揺動支持機構２０ｂの下流側支持機構３１に設けられた駆動モータ３５（第二駆動モータ３５ｂ）を駆動する。
【００２３】
〔制御フロー〕
異物誘導装置の制御フローについて説明する。図６は、異物誘導装置の動作を示したフローチャートである。なお、羽根部材１０は、本フローの実行前において基準姿勢を取っているものとする。
【００２４】
ステップＳ１において、制御部４０は、水位差監視装置から受信した各除塵機１１０の水位差データに基づいて、水位差が閾値以上となった除塵機１１０があるか否かを判断する。水位差が閾値以上となった除塵機が存在しない場合（ステップＳ１にてＮｏ）は、処理を終了する。水位差が閾値以上となった除塵機が存在する場合は（ステップＳ１にてＹｅｓ）、ステップＳ３の処理を行う。
ステップＳ３において制御部４０は、警報装置４７が水位差警報を発報するように警報装置４７を制御する。
【００２５】
ステップＳ５において制御部４０は、第一羽根部材１０ａが揺動するように第一駆動モータ３５ａを制御する。このステップでは、クラゲの来襲が確認された場合の初期動作として、短時間で大量のクラゲが除塵機に進入しないようにクラゲを分散させるべく、第一羽根部材１０ａを動作させる。
【００２６】
ステップＳ７において制御部４０は、何れの除塵機１１０の水位差が閾値以上となったかを判断する。この判断結果に応じて第二羽根部材１０ｂの動作を決定する。
複数の除塵機において水位差が閾値以上となっている場合（ステップＳ７にて「複数の除塵機が閾値以上」）、ステップＳ９の処理を実行する。即ち、制御部４０は、第二羽根部材１０ｂが揺動するように第二駆動モータ３５ｂを制御する。この場合は、特定の除塵機へクラゲを誘導することができない（或いは特定の除塵機へクラゲを誘導することは適当ではない）ため、短時間で大量のクラゲが除塵機に進入しないようにクラゲを分散させるべく、第二羽根部材１０ｂを動作させる。
並べて配置された複数の除塵機１１０のうち、一端部に位置する一号除塵機１１０ａの水位差のみが閾値以上となっている場合（ステップＳ７にて「一号除塵機のみが閾値以上」）、ステップＳ１１の処理を実行する。即ち、制御部４０は、第二羽根部材１０ｂがクラゲを一号除塵機１１０ａ以外の除塵機である二号除塵機１１０ｂ及び三号除塵機１１０ｃへと誘導する姿勢となるように第二駆動モータ３５ｂを制御する。なお、制御部４０は、第二羽根部材１０ｂが所望の姿勢となった場合は、第二駆動モータ３５ｂを停止させる。
並べて配置された複数の除塵機１１０のうち、中間部に位置する二号除塵機１１０ｂの水位差のみが閾値以上となっている場合（ステップＳ７にて「二号除塵機のみが閾値以上」）、ステップＳ１３の処理を実行する。即ち、制御部４０は、第二羽根部材１０ｂが揺動するように第二駆動モータ３５ｂを制御する。この場合は、特定の除塵機へクラゲを誘導することができない（或いは適当ではない）ため、短時間で大量のクラゲが除塵機に進入しないようにクラゲを分散させるべく、第二羽根部材１０ｂを動作させる。
並べて配置された複数の除塵機１１０のうち、他端部に位置する三号除塵機１１０ｃの水位差のみが閾値以上となっている場合（ステップＳ７にて「三号除塵機のみが閾値以上」）、ステップＳ１５の処理を実行する。即ち、制御部４０は、第二羽根部材１０ｂがクラゲを三号除塵機１１０ｃ以外の除塵機である一号除塵機１１０ａ及び二号除塵機１１０ｂへと誘導する姿勢となるように第二駆動モータ３５ｂを制御する。なお、制御部４０は、第二羽根部材１０ｂが所望の姿勢となった場合は、第二駆動モータ３５ｂを停止させる。
【００２７】
ステップＳ１７においてタイマ４５は、計時を開始する。
ステップＳ１９において制御部４０は、タイマ４５による計時開始から所定時間が経過したか否かを判断する。経過していない場合（ステップＳ１９にてＮｏ）は、ステップＳ１９の処理を続ける。所定の時間が経過した場合は（ステップＳ１９にてＹｅｓ）、ステップＳ２１の処理を実行する。
ステップＳ２１において、タイマ４５は計時を停止し、リセットする。
【００２８】
ステップＳ２３において制御部４０は、第一羽根部材１０ａが第二羽根部材１０ｂと同様の動作をするように、第一駆動モータ３５ａを制御する。
即ち、制御部４０は、（ステップＳ９、Ｓ１３の処理を実行した結果）第二羽根部材１０ｂが揺動している場合は、第一羽根部材１０ａが揺動するように第一駆動モータ３５ａを制御する。
また、制御部４０は、（ステップＳ１１の処理を実行した結果）第二羽根部材１０ｂがクラゲを一号除塵機１１０ａ以外の除塵機である二号除塵機１１０ｂ及び三号除塵機１１０ｃへと誘導する姿勢となっている場合は、第一羽根部材１０ａがクラゲを二号除塵機１１０ｂ及び三号除塵機１１０ｃへと誘導する姿勢となるように第一駆動モータ３５ａを制御する。なお、制御部４０は、第一羽根部材１０ａが所望の姿勢となった場合は、第一駆動モータ３５ａを停止させる。
また、制御部４０は、（ステップＳ１５の処理を実行した結果）第二羽根部材１０ｂがクラゲを一号除塵機１１０ａ及び二号除塵機１１０ｂへと誘導する姿勢となっている場合は、第一羽根部材１０ａがクラゲを一号除塵機１１０ａ及び二号除塵機１１０ｂへと誘導する姿勢となるように第一駆動モータ３５ａを制御する。なお、制御部４０は、第一羽根部材１０ａが所望の姿勢となった場合は、第一駆動モータ３５ａを停止させる。
【００２９】
ステップＳ２５においてタイマ４５は、計時を開始する。
ステップＳ２７において制御部４０は、タイマ４５による計時開始から所定時間が経過したか否かを判断する。経過していない場合（ステップＳ２７にてＮｏ）は、ステップＳ２７の処理を続ける。所定の時間が経過した場合は（ステップＳ２７にてＹｅｓ）、ステップＳ２９の処理を実行する。
ステップＳ２９において、タイマ４５は計時を停止し、リセットする。
【００３０】
ステップＳ３１において、制御部４０は、水位差監視装置から受信した各除塵機１１０の水位差データに基づいて、全ての除塵機１１０の水位差が閾値未満となったか否かを判断する。水位差が閾値以上の除塵機が存在する場合（ステップＳ３１にてＮｏ）、制御部４０はステップＳ５以下の処理を実行する。全ての除塵機１１０の水位差が閾値未満となった場合（ステップＳ３１にてＹｅｓ）は、ステップＳ３３の処理を行う。
ステップＳ３３において制御部４０は、警報装置４７が水位差警報を停止するように警報装置４７を制御する。
ステップＳ３５において制御部４０は、第一羽根部材１０ａ及び第二羽根部材１０ｂが基準姿勢となるように第一駆動モータ３５ａ及び第二駆動モータ３５ｂを制御する。
なお、上記各ステップにおける羽根部材の動作時間、動作速度、揺動角度範囲、又は停止したときの角度等は、必要に応じて実験等により求める。
【００３１】
〔変形実施形態〕
揺動支持機構２０を構成するワイヤのうち、上流ワイヤＷＵをその長手方向に往復移動可能に構成し、下流ワイヤＷＬを固定的に支持する構成としてもよい。また、上流ワイヤＷＵと下流ワイヤＷＬの双方をその長手方向に往復移動可能に構成してもよい。
上記実施形態においては、クラゲの来襲時に異物誘導装置１の羽根部材１０を自動的に揺動させ、又はその姿勢を制御するようにした。しかし、異物誘導装置１には下流ワイヤＷＬを巻き取り又は巻き出し操作するためのハンドルを設置し、羽根部材１０を手動で操作できるようにしてもよい。この場合、プラントの運転員が駆動モータ３５の動作を停止させて、取水路１０４において実際のクラゲの状況を目視確認しながら羽根部材１０を操作することができて効果的である。
また、異物誘導装置１は、羽根部材１０を任意のタイミングで所望の速度及び角度範囲にて揺動させ、又は所望の角度姿勢にて停止させるための操作手段を備えてもよい。例えばプラントの運転員が集中管理室のモニターに表示された取水路１０４の映像を確認しながら羽根部材１０を動作させることが可能となるため、効果的にクラゲを誘導することができるようになる。
【００３２】
〔本発明の作用、効果のまとめ〕
＜第一の実施態様＞
本態様は、取水口１０４と、取水口の下流に配置されて取り込んだ用水から異物を除去する除塵機１１０と、を備えたプラント１００に設置され、取水口と除塵機との間の流路（取水路１０４）内の用水中に浮遊する異物を誘導する異物誘導装置１であって、流路内に設置されて揺動可能な羽根部材１０と、羽根部材を駆動制御する制御手段（制御部４０）と、を備え、制御手段は、除塵機の上流側の水位と下流側の水位との水位差が閾値以上となる場合に、羽根部材が揺動するように制御することを特徴とする。
クラゲ等の異物が大量に除塵機に取り込まれた場合、除塵機のスクリーンが異物で塞がれた状態となるので、除塵機の上流側と下流側の水位差が大きくなる。
そこで本態様では、水位差が閾値以上となった場合に羽根部材を揺動させて、異物を流路内で分散させる。この動作を実行することにより、流路内に浮遊する異物が短時間で大量に除塵機に取り込まれることを防止することができ、プラントの出力を低下させる等の事態を回避できる。
【００３３】
＜第二の実施態様＞
本態様においてプラント１００は複数の除塵機１１０（１１０ａ〜１１０ｃ）を備えており、制御手段（制御部４０）は、一部の除塵機１１０の水位差が閾値以上となる場合に、羽根部材１０が異物を他の除塵機１１０へ誘導するように羽根部材を所定の角度にて停止させるように制御することを特徴とする。
発電プラントにおいて除塵機は発電ユニット毎に設けられているため、一部の除塵機の水位差のみが閾値以上となった場合、当該発電ユニットの出力を低下させる措置をとる必要がある。
そこで本態様では、一部の除塵機の水位差が閾値以上となった場合には、水位差が閾値未満の他の発電ユニットに向けて異物を誘導するように羽根部材を動作させる。この動作を実行することにより、流路内に浮遊する異物を各除塵機に分配して、特定の除塵機のみに異物が集中することを防止し、当該発電ユニットの出力を低下させる等の事態を回避する。
【００３４】
＜第三の実施態様＞
本態様においてプラント１００は複数の除塵機１１０（１１０ａ〜１１０ｃ）を備えており、羽根部材１０は、上流に設置された第一羽根部材１０ａと、第一羽根部材の下流に設置された第二羽根部材１０ｂと、を有し、制御手段（制御部４０）は、一部の除塵機１１０の水位差が閾値以上となる場合に、第一羽根部材１０ａが揺動するように制御し、第二羽根部材１０ｂが異物を他の除塵機１１０へ誘導するように第二羽根部材を所定の角度にて停止させるように制御することを特徴とする。
異物が流路内に大量に存在する場合、羽根部材を揺動させて異物を分散させたとしても、異物が一部の除塵機に集中することを回避できない場合がある。その一方で、異物を他の除塵機へ向けて誘導するだけでは、凝集した異物が短時間で除塵機に取り込まれることを避けられない虞がある。
そこで本態様においては、一部の除塵機の水位差が閾値以上となった場合に、上流側の第一羽根部材を揺動させて異物を分散させ、下流側の第二羽根部材によって異物を他の除塵機へと誘導する。この動作を実行することにより、異物を分散させた状態にて他の除塵機に誘導し、発電ユニットの出力を低下させる等の事態を回避する。
【００３５】
＜第四の実施態様＞
本態様において制御手段（制御部４０）は、第一羽根部材１０ａの揺動開始から所定時間が経過したときに第一羽根部材の揺動を停止させると共に、第一羽根部材が異物を他の除塵機１１０へ誘導するように第一羽根部材を所定の角度にて停止させるように制御する。
流路内に存在する異物が分散すれば、異物が除塵機に取り込まれた場合に除塵機の処理能力を超過することはない。
そこで本態様では、羽根部材の揺動開始から異物が分散すると考えられる所定の時間が経過したときに羽根部材を停止させ、無用な動力の浪費を防止する。
【符号の説明】
【００３６】
１…異物誘導装置、１０…羽根部材、１０ａ…第一羽根部材、１０ｂ…第二羽根部材、１１…上流羽根部、１３…分岐羽根部、１５…挿通孔、１６…挿通孔、２０…揺動支持機構、２０ａ…第一揺動支持機構、２０ｂ…第二揺動支持機構、２１…上流側支持装置、２３…ブイ、２５…支柱、２７…ストッパ、３１…下流側支持機構、３３…ブイ、３５…駆動モータ、３５ａ…第一駆動モータ、３５ｂ…第二駆動モータ、３６…従動支持部、３７…ストッパ、４０…制御部、４１…演算部、４３…条件テーブル、４５…タイマ、４７…警報装置、４９ａ…第一駆動制御部、４９ｂ…第二駆動制御部、１００…プラント、１０１…カーテンウォール、１０３…取水口、１０４…取水路、１０５…バースクリーン、１１０…除塵機、１１０ａ…一号除塵機、１１０ｂ…二号除塵機、１１０ｃ…三号除塵機、１１１…ロータリースクリーン、１１３…除塵ポンプ、１２１…復水器、１２２〜１２４…冷却器、１２５…海水ストレーナ、１３０…排水口
【図１】
2016141969.tif 000003
【図２】
2016141969.tif 000004
【図３】
2016141969.tif 000005
【図４】
2016141969.tif 000006
【図５】
2016141969.tif 000007
【図６】
2016141969.tif 000008